(57)【要約】【課題】プリンタを用いて印字記録するカルテを、保管スペースを低減して、収納すること。【解決手段】日本工業規格ＪＩＳ  Ａ４版の基板である第１表紙部２の一側部付近に綴じ装置４を設ける。この綴じ装置４は、表紙部２に固定される取付け板７と、この取付け板７に間隔をあけて立設される一対のベース部材８，９と、ベース部材７，８の第１連結部３１，３２に取外し可能に連結される第２連結部３３を有する操作部材１１，１２とを含む。取付け板７、したがってベース部材８，９には、ばね部材１８，１９を介して操作部材１１，１２が接続され、操作部材１１，１２の紛失を防ぐ。さらに合成樹脂製第１継ぎ足し部材と金属製第２継ぎ足し部材とを用い、さらに多数の枚数のカルテを収納することができる。永久磁石片を用いないので、人体および医療用電子機器などに悪影響を及ぼすことはない。【選択図】      図１
2004329494.tif 000002
【特許請求の範囲】
【請求項１】
（ａ）カルテとほぼ同一平面形状を有する長方形シート状の基板と、
（ｂ）基板の長辺の一側部付近に設けられる綴じ装置であって、
（ｂ１）基板に固定される取付け板と、
（ｂ２）取付け板に、前記長辺に沿って間隔をあけて立設され、遊端部に第１連結部が形成され、カルテの長辺の一側部に形成された綴じ孔をそれぞれ貫通する複数のベース部材と、
（ｂ３）第１連結部に取外し可能に連結される第２連結部を有する操作部材と、
（ｂ４）継ぎ足し部材であって、
カルテの綴じ孔を貫通し、
軸線方向の一端部に第１連結部に取外し可能に連結される第３連結部を有し、
軸線方向の他端部に、第２連結部に取外し可能に連結される第４連結部を有する継ぎ足し部材と、
（ｂ５）一端部が基板またはベース部材に連結され、他端部が操作部材に連結され、綴じられる複数枚のカルテの厚みよりも長い長手連結部材とを含むことを特徴とするカルテの収納装置。
【請求項２】
（ａ）カルテとほぼ同一平面形状を有する長方形シート状の基板と、
（ｂ）基板の長辺の一側部付近に設けられる綴じ装置であって、
（ｂ１）基板に固定される取付け板と、
（ｂ２）取付け板に、前記長辺に沿って間隔をあけて立設され、遊端部に第１連結部が形成され、カルテの長辺の一側部に形成された綴じ孔をそれぞれ貫通する複数のベース部材と、
（ｂ３）第１連結部に取外し可能に連結される第２連結部を有する操作部材と、
（ｂ４）第１継ぎ足し部材であって、
カルテの綴じ孔を貫通し、
軸線方向の一端部に第３連結部を有し、
軸線方向の他端部に、第２連結部に取外し可能に連結される第４連結部を有する第１継ぎ足し部材と、
（ｂ５）第２継ぎ足し部材であって、
軸線方向の一端部に第１連結部に取外し可能に連結される第５連結部を有し、
軸線方向の他端部に、第３連結部に取外し可能に連結される第６連結部を有する第２継ぎ足し部材と、
（ｂ６）一端部が基板またはベース部材に連結され、他端部が操作部材に連結され、綴じられる複数枚のカルテの厚みよりも長い長手連結部材とを含むことを特徴とするカルテの収納装置。
【請求項３】
第１継ぎ足し部材は、合成樹脂製であり、
第３および第４連結部は、段差を有する軸線方向内方に凹んだ凹所であり、
第２継ぎ足し部材は、金属製であり、
第５および第６連結部は、前記凹所に第１継ぎ足し部材の弾発性によって前記段差に係止して連結自在である凸部であることを特徴とする請求項２記載のカルテの収納装置。
【請求項４】
第１継ぎ足し部材は、全体の形状がほぼ筒状であることを特徴とする請求項３記載のカルテの収納装置。
【請求項５】
請求項１〜４のうちの１つに記載のカルテの収納装置の前記継ぎ足し部材を貯蔵する複数の貯蔵空間が隣接して形成され、各貯蔵空間毎に開口が形成されるケース本体と、
各開口を個別的に開閉する蓋とを有することを特徴とするカルテの収納装置のための貯蔵ケース。
【請求項６】
ケース本体は、
長方形の背板と、
背板の長辺に沿う両側部から立上る一対の長方形の側板と、
側板の長辺の一端部に連なる頂板と、
側板の長辺の他端部に連なる底板と、
側板と頂板と底板との背板とは反対側の開放端を塞ぐ取外し可能なカバーと、
側板と頂板と底板とカバーとによって囲まれる空間を、３以上の貯蔵空間に仕切る仕切り板とを含み、
頂板には、その頂板によって規定される１つの貯蔵空間に連通する第１開口が形成され、
一対の側板のうち、一方の側板には、残余の１または複数の貯蔵空間に連通する第２開口が形成され、
他方の側板には、さらに残余の１または複数の貯蔵空間に連通する第３開口が形成され、
第１開口は、頂板上を、背板の短辺方向に往復移動する第１蓋によって開閉可能であり、
第２および第３開口は、背板の長辺方向に往復移動する第２および第３蓋によって開閉可能であることを特徴とする請求項５記載のカルテの収納装置のための貯蔵ケース。
【請求項７】
背板の頂部には、係止孔が形成され、
第２蓋は、背板の係止孔を上方にして本件ケース本体が吊下げられた状態で下方となる閉位置で第２開口を閉じ、この閉位置よりも上方に移動されることによって第２開口を開くことを特徴とする請求項５または６記載のカルテの収納装置のための貯蔵ケース。
【請求項８】
第３開口は、隣接する２つの各貯蔵空間にそれぞれ形成され、
第３蓋は、取出し孔を有し、
この取出し孔が、これら２つの第３開口の中間の位置にあるとき、第３蓋は、２つの第３開口を閉じ、
取出し孔が、この中間の位置からいずれか一方の第３開口に移動することによって、取出し孔がそのいずれか一方の第３開口と一致して選択的に開くことを特徴とする請求項５〜７のうちの１つに記載のカルテの収納装置のための貯蔵ケース。
【請求項９】
請求項１〜４のうちの１つに記載のカルテの収納装置のための作業工具であって、
一対の駆動部材であって、各駆動部材は、その長手方向の各端部に、操作端部と、作業端部とをそれぞれ有する駆動部材と、
各駆動部材の操作端部同志が対向し、各駆動部材の作業端部同志が対向するように、駆動部材の中間の部分を、駆動部材の相互に角変位可能に支持する支軸と、
作業端部から相互の近接方向に突出して延び、操作部材または継ぎ足し部材を挟持し、操作部材または継ぎ足し部材の軸線方向の端部に当接する一対の作業片と、駆動部材の操作部材が相互に離間し、作業端部が相互に近接する方向にばね力を与えるばね部材とを含むことを特徴とするカルテの収納装置のための作業工具。
【請求項１０】
（ａ）カルテとほぼ同一平面形状を有する長方形シート状の基板と、
（ｂ）基板の長辺の一側部付近に設けられる綴じ装置であって、
（ｂ１）基板に固定される取付け板と、
（ｂ２）取付け板に、前記長辺に沿って間隔をあけて立設され、遊端部に第１連結部が形成され、カルテの長辺の一側部に形成された綴じ孔をそれぞれ貫通する複数のベース部材と、
（ｂ３）第１連結部に取外し可能に連結される第２連結部を有する操作部材と、
（ｂ４）継ぎ足し部材であって、
カルテの綴じ孔を貫通し、
軸線方向の一端部に、第１連結部に取外し可能に連結される第３連結部を有し、
軸線方向の他端部に、第２連結部に取外し可能に連結される第４連結部を有する継ぎ足し部材と、
（ｂ５）一端部が基板またはベース部材に連結され、他端部が操作部材に連結され、綴じられる複数枚のカルテの厚みよりも長い長手連結部材とを含むことを特徴とするカルテの収納装置。
【請求項１１】
第１および第３連結部は、
ベース部材の軸線方向に延びるめねじ部と、
めねじ部の軸線方向の途中で周方向に間隔をあけて形成される係止凹部とを有し、
第２連結部は、
弾発性を有する材料から成り、
前記めねじ部に弾発的に係止する軸部と、
軸部に連なり、前記係止凹部に弾発的に係止する係止凸部とを有し、
第４連結部は、前記めねじ部に取外し可能に螺合するおねじ部から成ることを特徴とする請求項１０記載のカルテの収納装置。
【請求項１２】
基板と取付け板とベース部材とは、合成樹脂によって一体的に成形され、
継ぎ足し部材は、合成樹脂から成ることを特徴とする請求項１０または１１記載のカルテの収納装置。
【請求項１３】
基板と取付け板とベース部材とは、合成樹脂によって一体的に成形されることを特徴とする請求項１，２，１０，１１のうちの１つに記載のカルテの収納装置。
【請求項１４】
（ａ）基板の前記長辺の前記一側部に連なり、カルテとほぼ同一平面形状を有する長方形のシート本体と、
（ｂ）シート本体の長辺の一側部に、その長辺の全長Ｌ６１にわたって連なり、使用中の長方形のカルテの長辺の一側部を、シート本体上に取外し自在に保持する保持部であって、
シート本体の前記一側部に連なる基部と、
基部の外側部に連なって立上る立上り部と、
立上り部の基部から遠去かった端部に連なり、内方側に延びるカバー部と、
カバー部の内方端部に連なり、基部とカバー部との間の空間内に、基部の外側になるにつれて、基部に近付くように延び、カルテの前記一側部を、基部の表面との間で弾発的に押し付ける押圧部とを有する保持部とを含み、
（ｃ）基板とシート本体とが、一体的に連なって合成樹脂材料から成ることを特徴とする請求項１〜１３のうちの１つに記載のカルテの収納装置。
【発明の詳細な説明】
【０００１】
【発明の属する技術分野】
本発明は、病院などにおいて用いられるカルテを収納するための装置に関する。
【０００２】
【従来の技術】
カルテは、病院などで、患者の診療経過およびその患者の治療のための薬名などを含む医療関連情報を、医師などが手で筆記して記録し、またはプリンタで印字し、保管される。患者の受診回数が増すに従って、カルテの枚数が増してゆく。
【０００３】
従来では、このような複数枚のカルテを、たとえばセロファンテープでノート状に貼着けて綴じる。既存の商業的に容易に入手可能なプリンタは、単一枚の紙をプラテンに巻掛けて案内して搬送しつつ、印字ヘッドで印字する構成を有するので、使用中の最後のすなわち最新のカルテは、前記プリンタを用いて印字を可能とするために、記録済の綴られたカルテと一緒にセロファンテープで綴じておくことはできず、その最後のカルテ１枚だけ、取出すことができる必要がある。すなわちカルテは、プリンタによる印字がなされるとともに、医師などによる筆記が容易に可能でなければならない。
【０００４】
この問題を解決するために或る先行技術では、各患者毎にルーズリーフ式のバインダを準備し、このバインダは、受診回数の多い患者にも用いることができるようにするために、比較的ぶ厚く構成される。したがって１枚または２枚程度のカルテしか必要としない患者のためにも、そのようなぶ厚いルーズリーフ式バインダを準備しなければならず、無駄であり、そのようなぶ厚いバインダを多数保管するには、厚み方向に多くの保管スペースを必要とするという問題がある。
【０００５】
【発明が解決しようとする課題】
本発明の目的は、患者数およびカルテの枚数が増加しても、保管スペースを低減することができるようにし、しかも既存の商業的に容易に入手可能なプリンタを用いて印字記録を容易に行うことができるようにしたカルテの収納装置、このカルテの収納装置のための貯蔵ケースおよびこのカルテの収納装置のための作業工具を提供することである。
【０００６】
【課題を解決するための手段】
本発明は、（ａ）カルテとほぼ同一平面形状を有する長方形シート状の基板と、
（ｂ）基板の長辺の一側部付近に設けられる綴じ装置であって、
（ｂ１）基板に固定される取付け板と、
（ｂ２）取付け板に、前記長辺に沿って間隔をあけて立設され、遊端部に第１連結部が形成され、カルテの長辺の一側部に形成された綴じ孔をそれぞれ貫通する複数のベース部材と、
（ｂ３）第１連結部に取外し可能に連結される第２連結部を有する操作部材と、
（ｂ４）継ぎ足し部材であって、
カルテの綴じ孔を貫通し、
軸線方向の一端部に第１連結部に取外し可能に連結される第３連結部を有し、軸線方向の他端部に、第２連結部に取外し可能に連結される第４連結部を有する継ぎ足し部材と、
（ｂ５）一端部が基板またはベース部材に連結され、他端部が操作部材に連結され、綴じられる複数枚のカルテの厚みよりも長い長手連結部材とを含むことを特徴とするカルテの収納装置である。
【０００７】
本発明に従えば、後述の表紙部などのような基板に綴じ装置が設けられ、この綴じ装置は、基板に固定される取付け板に、複数、たとえば一対のベース部材が立設され、このベース部材は、カルテに形成された綴じ孔を貫通し、このベース部材に操作部材が着脱可能に連結され、こうしてカルテが綴じられて収納される。基板は、カルテとほぼ同一平面形状を有する矩形、たとえば長方形に形成され、医師が手書きで記録紙、またはプリンタを用いて印字することができる空白欄が残っているカルテは、綴じ装置から取外すことができる。カルテは、紙製であり、その１枚の厚みは薄い。綴じ装置のベース部材の軸線方向の厚み、すなわち高さを低く構成し、たとえばその高さを０．５〜１．０ｃｍ程度に選び、これによってカルテの枚数が少ない患者に対応してカルテを収納し、保存することができる。
【０００８】
医師が手で筆記するとき、またはプリンタによって印字して記録する必要があるとき、綴じ装置からカルテを取外し、筆記し、またはプリンタで印字を行うことが容易に可能である。筆記または印字後のカルテは、余白の空欄があれば、綴じ装置によって再び重ねて収納しておくことができる。基板は、たとえばカルテよりも厚い紙で構成されてもよく、または合成樹脂などから成ってもよい。本発明の構成は簡単であり、また厚み方向の保管スペースを低減することができるとともに、多数の患者毎のカルテを狭い倉庫に保管することができ、このことは特に患者毎のカルテの枚数が１枚または数枚であって少ない枚数であるとき、保管スペースの低減効果が大きく発揮される。
【０００９】
カルテの枚数が多く、その積み重ねた厚みが大きくなったとき、継ぎ足し部材を用いて、多数枚のカルテを取外し可能に収納することができる。
【００１０】
ベース部材の第１連結部と操作部材の第２連結部とが連結され、また継ぎ足し部材の第３連結部とベース部材の第１連結部との連結および継ぎ足し部材の第４連結部と操作部材の第２連結部とが、連結される。したがってこのことによっても、構成の簡略化が図られる。
【００１１】
このような第１〜第４連結部の構成は、永久磁石片などの磁力を利用する構成ではない。したがって、患者の人体に悪影響を及ぼすことはなく、また患者が装着している心臓などの動作を制御する電子機器などに悪影響を及ぼすことはなく、さらに患者の診断を行う電子機器に悪影響を及ぼすことがない。
【００１２】
さらに本発明のカルテの収納装置は、その全体を、電気絶縁性の合成樹脂製とすることができ、このことによってさらに患者などの病院などにおける周囲の環境への電気的および磁気的な悪影響を防ぐことができる。カルテの綴じ孔は、たとえば内径５〜６ｍｍφであってもよく、ベース部材および継ぎ足し部材の外径は、たとえば綴じ孔の内径未満の外径であって、３〜４ｍｍであってもよく、ベース部材と継ぎ足し部材の外径は、軸線方向、すなわち高さ方向に一様な円形断面を有し、たとえば直円筒状であってもよい。
【００１３】
本発明に従えば、基板またはベース部材に設けられた第１突片と操作部材に設けられる第２突片とを、長手連結部材で連結し、これによって操作部材がベース部材または継ぎ足し部材から取外されたとき、操作部材を紛失するおそれがない。長手連結部材は、たとえばコイルばねから成り、またはゴムひもなどから成ってもよく、比較的小さいばね力を有し、操作部材のベース部材または継ぎ足し部材への連結、離脱に支障をきたすことはない。長手連結部材は、操作部材が連結されるベース部材または継ぎ足し部材に対応した高さに応じて、伸縮し、したがってばね部材が不所望に長く伸びた状態になっていることはなく、障害物に長手連結部材が絡まるおそれはない。長手連結部材は、可撓性を有する紐または鎖などによって実現されてもよい。
【００１４】
また本発明は、（ａ）カルテとほぼ同一平面形状を有する長方形シート状の基板と、
（ｂ）基板の長辺の一側部付近に設けられる綴じ装置であって、
（ｂ１）基板に固定される取付け板と、
（ｂ２）取付け板に、前記長辺に沿って間隔をあけて立設され、遊端部に第１連結部が形成され、カルテの長辺の一側部に形成された綴じ孔をそれぞれ貫通する複数のベース部材と、
（ｂ３）第１連結部に取外し可能に連結される第２連結部を有する操作部材と、
（ｂ４）第１継ぎ足し部材であって、
カルテの綴じ孔を貫通し、
軸線方向の一端部に第３連結部を有し、
軸線方向の他端部に、第２連結部に取外し可能に連結される第４連結部を有する第１継ぎ足し部材と、
（ｂ５）第２継ぎ足し部材であって、
軸線方向の一端部に第１連結部に取外し可能に連結される第５連結部を有し、
軸線方向の他端部に、第３連結部に取外し可能に連結される第６連結部を有する第２継ぎ足し部材と、
（ｂ６）一端部が基板またはベース部材に連結され、他端部が操作部材に連結され、綴じられる複数枚のカルテの厚みよりも長い長手連結部材とを含むことを特徴とするカルテの収納装置である。
【００１５】
また本発明は、第１継ぎ足し部材は、合成樹脂製であり、
第３および第４連結部は、段差を有する軸線方向内方に凹んだ凹所であり、
第２継ぎ足し部材は、金属製であり、
第５および第６連結部は、前記凹所に第１継ぎ足し部材の弾発性によって前記段差に係止して連結自在である凸部であることを特徴とする。
【００１６】
また本発明は、第１継ぎ足し部材は、全体の形状がほぼ筒状であることを特徴とする。
【００１７】
本発明に従えば、図１〜図１７に関連して後述されるように、ベース部材の第１連結部と操作部材の第２連結部とを、装着、離脱する操作を容易に行うことができる。
【００１８】
カルテの綴じられる枚数が増加したとき、たとえば金属製であってもよい第２継ぎ足し部材の第５連結部を、たとえば合成樹脂製であってもよい操作部材の第１連結部にその操作部材の合成樹脂などの弾発性によって取外し自在に連結し、第２継ぎ足し部材の第６連結部を、たとえば合成樹脂製であってもよい第１継ぎ足し部材の第３連結部に、その合成樹脂などの弾発性によって取外し自在に連結し、この第１継ぎ足し部材の第４連結部に、操作部材の第２連結部を取外し可能に連結する。こうして多数枚のカルテの綴じ孔に、ベース部材、第１継ぎ足し部材および操作部材が挿通して、多数枚のカルテを綴じることができる。
【００１９】
ベース部材に第２継ぎ足し部材を介して前述のように継ぎ足された第１継ぎ足し部材の第４連結部に、もう１つの第２継ぎ足し部材の第５連結部を取外し自在に連結し、もう１つの継ぎ足し部材の第３連結部に操作部材の第２連結部を取外し自在に連結するようにしてもよく、さらに第１および第２継ぎ足し部材を追加して多数枚のカルテを綴じることもできる。
【００２０】
第１継ぎ足し部材は、その形状がほぼ筒状であって、第３および第４連結部を軸線方向に連ねた形状を有してもよいが、第３および第４連結部は、有底の軸線方向内方にそれぞれ延びる凹所であってもよい。
【００２１】
また本発明は、前記カルテの収納装置の前記継ぎ足し部材を貯蔵する複数の貯蔵空間が隣接して形成され、各貯蔵空間毎に開口が形成されるケース本体と、
各開口を個別的に開閉する蓋とを有することを特徴とするカルテの収納装置のための貯蔵ケースである。
【００２２】
また本発明は、ケース本体は、
長方形の背板と、
背板の長辺に沿う両側部から立上る一対の長方形の側板と、
側板の長辺の一端部に連なる頂板と、
側板の長辺の他端部に連なる底板と、
側板と頂板と底板との背板とは反対側の開放端を塞ぐ取外し可能なカバーと、
側板と頂板と底板とカバーとによって囲まれる空間を、３以上の貯蔵空間に仕切る仕切り板とを含み、
頂板には、その頂板によって規定される１つの貯蔵空間に連通する第１開口が形成され、
一対の側板のうち、一方の側板には、残余の１または複数の貯蔵空間に連通する第２開口が形成され、
他方の側板には、さらに残余の１または複数の貯蔵空間に連通する第３開口が形成され、
第１開口は、頂板上を、背板の短辺方向に往復移動する第１蓋によって開閉可能であり、
第２および第３開口は、背板の長辺方向に往復移動する第２および第３蓋によって開閉可能であることを特徴とする。
【００２３】
また本発明は、背板の頂部には、係止孔が形成され、
第２蓋は、背板の係止孔を上方にして本件ケース本体が吊下げられた状態で下方となる閉位置で第２開口を閉じ、この閉位置よりも上方に移動されることによって第２開口を開くことを特徴とする。
【００２４】
また本発明は、第３開口は、隣接する２つの各貯蔵空間にそれぞれ形成され、
第３蓋は、取出し孔を有し、
この取出し孔が、これら２つの第３開口の中間の位置にあるとき、第３蓋は、２つの第３開口を閉じ、
取出し孔が、この中間の位置からいずれか一方の第３開口に移動することによって、取出し孔がそのいずれか一方の第３開口と一致して選択的に開くことを特徴とする。
【００２５】
本発明の貯蔵ケースの複数の各貯蔵空間には、カルテの収納装置を構成する構成要素、たとえば前述の継ぎ足し部材、ならびに第１および第２継ぎ足し部材などをそれぞれ収納し、さらに継ぎ足し部材の軸線方向に長さが異なる複数種類の継ぎ足し部材を、個別的に分類整理して貯蔵することができる。請求項１の継ぎ足し部材と請求項２の第１および第２継ぎ足し部材とを総括的に、継ぎ足し部材と言うことがある。
【００２６】
複数の各貯蔵空間が形成されたケース本体の各開口は、蓋によって開閉可能であり、カルテの収納装置の構成要素を個別的に取出すことができる。
【００２７】
本発明に従えば、ケース本体にはカバーが取外し可能であり、このカバーをケース本体から取外した状態で、各貯蔵空間に、カルテの収納装置の構成要素を貯蔵し、その後、カバーをケース本体に装着し、各貯蔵空間を閉じる。
【００２８】
各貯蔵空間は、仕切り板によって仕切られ、背板の長手方向に隣接した複数、たとえば４以上の貯蔵空間を、３以上の仕切り板によって仕切って規定することができる。
【００２９】
これらの各貯蔵空間は、頂板に形成された第１開口、両側板にそれぞれ形成された第２および第３開口に、たとえば摺動、スライドして移動自在である第１〜第３蓋によって開閉可能となる。
【００３０】
本発明に従えば、たとえば単一個の第２開口を、第２蓋によって開閉することができる。また前述のように仕切り板によって仕切られて隣接する２つの貯蔵空間にそれぞれ形成された第３開口を第３蓋によって選択的に開閉し、またこれらの２つの第３開口をいずれも、閉じることもできる。
【００３１】
第２蓋は、本件ケース本体が吊下げられた状態で下方とされた姿勢で、第２開口を閉位置とし、これによって本件ケース本体が吊下げられて保存されるとき、第２開口が不所望に開いて、第２開口に連通する貯蔵空間から、カルテの収納装置の構成要素が不所望に排出されることを防ぐことができる。
【００３２】
また本発明は、前記カルテの収納装置のための作業工具であって、
一対の駆動部材であって、各駆動部材は、その長手方向の各端部に、操作端部と、作業端部とをそれぞれ有する駆動部材と、
各駆動部材の操作端部同志が対向し、各駆動部材の作業端部同志が対向するように、駆動部材の中間の部分を、駆動部材の相互に角変位可能に支持する支軸と、
作業端部から相互の近接方向に突出して延び、操作部材または継ぎ足し部材を挟持し、操作部材または継ぎ足し部材の軸線方向の端部に当接する一対の作業片と、駆動部材の操作部材が相互に離間し、作業端部が相互に近接する方向にばね力を与えるばね部材とを含むことを特徴とするカルテの収納装置のための作業工具である。
【００３３】
本発明に従えば、カルテの収納装置を構成する前述の構成要素、たとえば各種の継ぎ足し部材は、比較的微細な形状を有し、したがって作業者の指によって個別的に取扱うことが困難であり、そこで本発明の作業工具を用いて、作業者はばね部材のばね力に抗して一対の駆動部材の操作端部を相互の近接方向に変位し、これによって駆動部材の作業端部が離間して開いた状態となり、これによって、作業片を用いて、または作業片を用いることなく、前記構成要素を掴むことができる。さらに駆動部材の作業端部を近接して両作業片によって操作部材または継ぎ足し部材の軸線方向の端部に当接したままで、継ぎ足し部材とベース部材との連結を行い、さらにベース部材と第２継ぎ足し部材との連結を行い、第１および第２継ぎ足し部材の相互の連結を行うことが容易となり、作業性が向上される。
【００３４】
また本発明は、（ａ）カルテとほぼ同一平面形状を有する長方形シート状の基板と、
（ｂ）基板の長辺の一側部付近に設けられる綴じ装置であって、
（ｂ１）基板に固定される取付け板と、
（ｂ２）取付け板に、前記長辺に沿って間隔をあけて立設され、遊端部に第１連結部が形成され、カルテの長辺の一側部に形成された綴じ孔をそれぞれ貫通する複数のベース部材と、
（ｂ３）第１連結部に取外し可能に連結される第２連結部を有する操作部材と、
（ｂ４）継ぎ足し部材であって、
カルテの綴じ孔を貫通し、
軸線方向の一端部に、第１連結部に取外し可能に連結される第３連結部を有し、
軸線方向の他端部に、第２連結部に取外し可能に連結される第４連結部を有する継ぎ足し部材と、
（ｂ５）一端部が基板またはベース部材に連結され、他端部が操作部材に連結され、綴じられる複数枚のカルテの厚みよりも長い長手連結部材とを含むことを特徴とするカルテの収納装置である。
【００３５】
また本発明は、第１および第３連結部は、
ベース部材の軸線方向に延びるめねじ部と、
めねじ部の軸線方向の途中で周方向に間隔をあけて形成される係止凹部とを有し、
第２連結部は、
弾発性を有する材料から成り、
前記めねじ部に弾発的に係止する軸部と、
軸部に連なり、前記係止凹部に弾発的に係止する係止凸部とを有し、
第４連結部は、前記めねじ部に取外し可能に螺合するおねじ部から成ることを特徴とする。
【００３６】
また本発明は、基板と取付け板とベース部材とは、合成樹脂によって一体的に成形され、
継ぎ足し部材は、合成樹脂から成ることを特徴とする。
【００３７】
また本発明は、基板と取付け板とベース部材とは、合成樹脂によって一体的に成形されることを特徴とする。
【００３８】
本発明に従えば、継ぎ足し部材を用いることによって、多数枚のカルテを綴じることができる。
【００３９】
特に本発明に従えば、ベース部材の第１連結部と継ぎ足し部材の第３連結部とには、めねじ部と係止凹部とが形成され、操作部材の第２連結部の軸部をめねじ部に弾発的に係止するとともに、係止凸部を係止凹部に弾発的に係止し、これによってベース部材または継ぎ足し部材の第１または第３連結部に、操作部材の第２連結部を着脱可能に連結することができる。係止凹部は、周方向に間隔をあけて形成され、これらの係止凹部の相互間は、めねじ部が連なるので、第２連結部の係止凸部は、この係止凹部に前述のように弾発的に嵌り込むとともに、係止凹部相互間の周方向のめねじ部の一部分にも弾発的に係止し、これによって連結が確実になる。しかも係止凹部の周方向相互間にも前述のようにめねじ部が形成されるので、継ぎ足し部材のおねじ部が刻設された第４連結部を、めねじ部に確実に螺合して連結することができ、不所望に螺合状態が外れるおそれはない。
【００４０】
係止凹部は、周方向に複数個形成されてもよいが、単一個だけ形成されてもよい。
【００４１】
操作部材の少なくとも第２連結部は、弾発性を有する材料から成り、たとえば弾発性を有する合成樹脂またはゴムなどの材料から成ってもよい。
【００４２】
前述の基板と取付け板とベース部材とは、合成樹脂によって一体的に成形され、これによって構成の簡略化を図ることができ、取付け板は不要となる。継ぎ足し部材もまた、合成樹脂製であってもよい。
【００４３】
また本発明は、（ａ）基板の前記長辺の前記一側部に連なり、カルテとほぼ同一平面形状を有する長方形のシート本体と、
（ｂ）シート本体の長辺の一側部に、その長辺の全長Ｌ６１にわたって連なり、使用中の長方形のカルテの長辺の一側部を、シート本体上に取外し自在に保持する保持部であって、
シート本体の前記一側部に連なる基部と、
基部の外側部に連なって立上る立上り部と、
立上り部の基部から遠去かった端部に連なり、内方側に延びるカバー部と、
カバー部の内方端部に連なり、基部とカバー部との間の空間内に、基部の外側になるにつれて、基部に近付くように延び、カルテの前記一側部を、基部の表面との間で弾発的に押し付ける押圧部とを有する保持部とを含み、
（ｃ）基板とシート本体とが、一体的に連なって合成樹脂材料から成ることを特徴とする。
【００４４】
本発明に従えば、カルテの収納体は、シート本体と保持部とを含み、シート本体は、カルテとほぼ同一平面形状を有する矩形、たとえば長方形に形成され、たとえば医師が手書きで記録し、またはプリンタを用いて印字することができる空白欄が残っているカルテは、シート本体上に、保持部によって、そのカルテの一側部が取外し自在に弾発的に保持される。カルテは、紙製であり、その１枚の厚みは薄く、本発明の保持部は、基部と立上り部とカバー部と押圧部とを有し、このような薄いカルテの一側部を、基部の表面との間で弾発的に押し付けて綴じる。
【００４５】
医師が手で筆記するとき、またはプリンタによって印字して記録する必要があるとき、保持部からカルテを取外し、筆記し、またはプリンタで印字を行うことが容易にできる。筆記または印字後のカルテは、余白の空白欄があれば、保持部によってシート本体上に、再び重ねて収納しておくことができる。筆記または印字後のカルテに空白欄が少なくなり、または無くなったとき、記録済みのカルテとしてたとえば後述のシート本体の他側部に連なる表紙部に、セロハンテープなどの接着テープで連なって綴じることができ、あるいはまたシート本体の他側部自体に、接着テープで綴じるようにしてもよい。このように使用中のカルテをシート本体に保持部で弾発的に綴じることができ、全体が合成樹脂材料から成るので、簡単な構成で、本発明を実現することができ、また厚み方向の保管スペースを低減することができるとともに、多数の患者毎のカルテを狭い倉庫に保管することができ、このことは特に患者毎のカルテの枚数が１枚または数枚であって少ない枚数であるとき、保管スペースの低減効果が大きく発揮される。
【００４６】
好ましい実施の形態では、保持部のカバー部は、内方側になるにつれて基部に近付くように傾斜し、
カバー部の内方側の端部付近には、断面Ｖ字状の第１折れ部が形成され、
カバー部の第１折れ部よりも内方側の端縁と押圧部の内方側の端縁とは、外折れ部で連なり、
押圧部には、カルテの前記一側部のカバー部に臨む表面に当接する断面Ｖ字状の第２折れ部が形成され、
第１および第２折れ部は、上下にほぼ同一位置に配置されることを特徴とする。
【００４７】
好ましい実施の形態では、カバー部の内面と押圧部のカバー部に臨む表面との間に、隙間が設けられることを特徴とする。
【００４８】
好ましい実施の形態では、厚みｔが、０．１〜０．６ｍｍである熱可塑性または熱硬化性合成樹脂材料から成り、
基部の短辺に沿う長さＬ１は、１０．０〜１５．０ｍｍであり、
立上り部の高さＨ１は、１．５〜２．５ｍｍであり、
立上り部の基部から遠去かった前記端部からカバー部の第１折れ部までの基部に沿う長さＬ２１は、８．０〜１２．０ｍｍであり、
第１折れ部からカバー部の前記内方側の端部までの基部に沿う長さＬ２２は、１．５〜２．０ｍｍであり、
第１折れ部の基部からの高さＨ２は、０．７〜１．５ｍｍであり、
押圧部の前記内方側の端部から第２折れ部までの基部に沿う長さＬ３１は、１．０〜２．０ｍｍであり、
第２折れ部から押圧部の外方端部までの基部に沿う長さＬ３２は、１．０〜２．０ｍｍであることを特徴とする。
【００４９】
合成樹脂は、ポリメタクリル酸エステル系合成樹脂またはポリアクリル酸エステル系合成樹脂から成ることを特徴とする。
【００５０】
基部と立上り部との第１外折れ部と、立上り部とカバー部との第２外折れ部と、カバー部と押圧部との第３外折れ部で連なって形成され、さらにカバー部と押圧部には、第１および第２折れ部が形成され、このように合成樹脂シートを屈曲して変形することによって、カルテの収納体を製造することができ、製造が容易であるとともに、シート本体と押圧部の第２折れ部との間で、たとえば１枚の薄いカルテをできるだけ大きい弾発力で挟持することができる。
【００５１】
押圧部は、前述のように断面Ｖ字状に形成され、したがってシート本体上に沿ってカルテの前記一側部をカバー部の前記内方側の端縁と押圧部の内方側の端縁との外折れ部付近から前記第２折れ部に向けて円滑に挿入することができ、操作性が良好であるという優れた効果が達成される。
【００５２】
カルテの収納体を構成する合成樹脂を、ポリメタクリル酸エステル系またはポリアクリル酸エステル系合成樹脂製とすることによって、常温で、薄いカルテを弾発的に押圧部で基部との間でできるだけ大きな弾発力で挟持することが可能になり、また製造も容易である。これらのおよびその他の種類の合成樹脂は静電気を帯電しやすく、このような静電力を利用して紙製などのカルテを確実に保持することができる。
【００５３】
本発明は、カルテだけでなく、そのほかのシートのために実施することができる。
【００５４】
【発明の実施の形態】
図１は本発明の実施の一形態のカルテの収納装置１の一部の斜視図であり、図２はそのカルテの収納装置１の全体の構成を示す斜視図である。カルテの収納装置１は基本的には、基板である第１表紙部２と第２表紙部３と綴じ装置４とを含む。第１および第２表紙部２，３は、紙製であり、内折れ部５で綴じ装置４を内方にして折り畳むことができる。第１および第２表紙部２，３は、カルテ６の平面形状とほぼ同一の大きさを有し、たとえば日本工業規格ＪＩＳ  Ａ４版の長方形であり、カルテ６は縦長にして第１表紙部２の上方に綴じ装置４によって綴じられて上方に重ねられる。
【００５５】
綴じ装置４は、第１表紙部２の内面上でその長辺の一側部付近に設けられる。綴じ装置４は第１表紙部２に固定される取付け板７と、取付け板７に、前記長辺に沿って間隔をあけて立設される複数（たとえばこの実施の形態では一対）のベース部材８，９と、このベース部材８，９に連結、離脱可能な操作部材１１，１２とを有し、さらにこれらの操作部材１１，１２に設けられた第１突片１３，１４と、操作部材８，９、したがって取付け板７に設けられた第２突片１５，１６とは、コイルばねであるばね部材１８，１９によって連結される。カルテ６の長辺の一側部には、一対の綴じ孔２１，２２が形成され、この綴じ孔２１，２２に、ベース部材８，９がそれぞれ挿通して綴じられ、複数枚のカルテ６が上下に重ね合されて、綴り合わされる。第１突片１３，１４は、操作部材１１，１２から外側方に突出し、カルテ６の前記一側部の外側部に突出しているので、カルテ６がベース部材８，９から抜け出すことが防がれる。操作部材１１，１２は、その形状が円板状であり、第１突片１３，１４が半径方向外方に伸びる。
【００５６】
ばね部材１８，１９は、ベース部材８，９および後述の継ぎ足し部材２３，２４（図７参照）によって綴られたカルテ６の厚みよりも長く弾発的に伸びることができる。取付け板７は、その長手方向両端部で、その取付け板７と第１表紙部２を挿通する止めピン２６，２７によって固定される。
【００５７】
ベース部材８，９の上部である遊端部には、第１連結部３１，３２が形成される。操作部材１１，１２には、第２連結部３３，３４が設けられる。第１および第２連結部３１，３２；３３，３４は、取外し可能にばね力によって連結される。第１突片１３，１４は、カルテ６の綴じ孔２１，２２がベース部材８，９の遊端部から第１および第２連結部３１，３２；３３，３４の連結状態で綴じ孔２１，２２よりも外側方に突出し、カルテ６が外方に抜け出すことを防ぐ抜け出し防止部を構成する。操作部材１１，１２の外径を、ベース部材８，９の外径および綴じ孔２１，２２の内径よりも大きい値に選び、カルテ６の抜け出しを防止してもよい。
【００５８】
図３はベース部材８とその付近の構成を示す断面図であり、図４はベース部材８の平面図であり、この図４の切断面線ＩＩＩ−ＩＩＩは、図３に示される。
【００５９】
図５は、図３の切断面線Ｖ−Ｖから見た断面図である。図６は、図４の切断面線ＶＩ−ＶＩから見た断面図である。これらの図面を参照して、ベース部材８は、直円筒状であり、その底である基端部３６が取付け板７に固定され、遊端部にはカバー部３７が固定され、このカバー部３７には、装着孔３８が形成される。筒体３５内でカバー部３７の下面に近接してＵ字状のばね片３９が固定される。このばね片３９の一対の接触部４１，４２は、装着孔３８に部分的に露出する。このばね片３９の連結屈曲部４３は、筒体３５の内面に溶接などによって固定される。
【００６０】
第２連結部３３は、頭部４５と、くびれ部４６とを有する。くびれ部４６の基端部すなわち上部は、操作部材１１の下面に固定される。頭部４５は、第１頭部分４７と第２頭部分４８とを有する。第１頭部分４７は、くびれ部４６の遊端部の延長方向（図６の下方）になるにつれて先細状に、ほぼ円錐台状または円錐状、さらには球の一部分の形状をなす。第２頭部分４８は、くびれ部４６の遊端部に連なり、そのくびれ部４６の遊端部方向（図６の下方）になるにつれて外形が拡がるように形成され、第２頭部分４７の大径基端部に連なる。こうして第２連結部３３が第１連結部３１の装着孔３８に押込まれるとき、第１頭部分４７はばね片３９の接触部４１，４２を図４の参照符４９のように押し拡げて弾発的に入り込む。こうしてくびれ部４６に接触部４１，４２が位置して図６のように安定に、連結状態が保たれる。この連結状態を解除するには、操作部材１１を図６の上方に引っ張り、これによって第２頭部分４８はばね片３９の接触部４１，４２を再び図４の参照符４９のように押し拡げ、これによって装着孔３８の外方に第２連結部３３を取出して、第１および第２連結部３１，３３の連結を解除することができる。
【００６１】
図７は、本発明の実施の他の形態の一部の断面図である。この実施の形態は、前述の図１〜図６の実施の形態に類似し、対応する部分には同一の参照符を付す。注目すべきはこの実施の形態では、継ぎ足し部材２３，２４は、同一構成を有し、多数枚のカルテ６を、綴じ孔２１，２２で綴り合わせることができる。継ぎ足し部材２３は、カルテの綴じ孔２１を貫通して軸線方向（図７の上下方向）の一端部に第１連結部３１に取外し可能にばね力によって連結される第３連結部５１を有し、また軸線方向の他端部に、操作部材１１の第２連結部３３に取外し可能にばね力によって連結される第４連結部５２を有する。第３連結部５１は、前述の第２連結部３３に類似する構成を有し、継ぎ足し部材２３の筒体３５ａの基端部３６ａに立設して設けられる。第４連結部５２は、前述の第１連結部３１に類似する構成を有し、対応する部分には同一の数字に添字ａを付して示す。継ぎ足し部材２３の遊端部に形成される第４連結部５２には、もう１つの継ぎ足し部材２４の第３連結部５１がばね力で取外し可能に連結することができる。こうして１または複数の連結部材２３，２４を、ベース部材８に取外し可能に連結し、多数のカルテ６を閉じることができる。そのほかの構成は、前述の実施の形態と同様である。
【００６２】
図８は、本発明の実施の他の形態の断面図である。この実施の形態は、前述の実施の形態に類似し、対応する部分には同一の数字に添字ｂを付して示す。操作部材１１ｂは、ベース部材８ｂに着脱可能に取付けられる。この操作部材１１ｂには、下方に垂下する筒部５３と、この筒部５３の内方に突出する係合凸部５４，５５とを有する。係合部５４，５５は、ベース部材８ｂおよびそれと装着状態となっている操作部材１１ｂの共通な軸線５６に関して周方向に１８０度ずれて設けられる。
【００６３】
図９は、ベース部材８ｂの一部の周方向展開図である。このベース部材８ｂの上部の外周面は、図９において斜線を施して示す。ベース部材８ｂの上部には、案内溝５８，５９が形成される。案内溝５８は、係合部５４が嵌り込んで軸線５６に角度θ１で傾斜した傾斜部６１と、この傾斜部６１に連なり、軸線５６に垂直に周方向に延びる垂直部６２とを含み、傾斜部６１は、端部６３で上方に開放する。もう１つの案内溝５９は、傾斜部６１と同様な構成を有し、軸線５６のまわりに周方向に１８０度ずれて形成される。係合部５４を開口部６３から傾斜部６１を経て垂直部６２に係合し、ストッパ片６４によって弾発的に係合部５４が休止部６５に位置することによって、ベース部材８ｂに操作部材１１ｂを安定して装着した状態を保つことができる。操作部材１１ｂを、上述の装着時とは逆方向に軸線５６のまわりに角変位することによって、係合部５４はストッパ片６４を経て垂直部６２から傾斜部６１を経て操作部材１１ｂが上方に変位し、ベース部材８ｂと操作部材１１ｂとの連結が解除される。
【００６４】
図１０は、図８および図９に示される実施の形態における操作部材１１ｂの簡略化した断面図である。係合部５４，５５は、前述のように軸線５６に対して周方向に１８０度ずれた位置に、設けられる。
【００６５】
案内溝５８は、図８〜図１０の実施の形態における第１連結部を構成し、係合部５４，５５は第２連結部を構成する。さらに前述の第１連結部３１ｂおよび第２連結部３３ｂが設けられていてもよいが、これらの連結部３１ｂ，３３ｂは省略されてもよい。係合部５４と案内溝５８との連結は、軸線５６まわりに３６０度未満、たとえば前述のように４５度の相互の角変位によって着脱可能である。図９における参照符Ｌは、軸線５６まわりのベース部材８ｂおよび操作部材１１ｂの周方向の長さを示す。
【００６６】
図１１は、本発明の実施の他の形態の一部の断面図である。この実施の形態は前述の実施の形態に類似し、対応する部分は同一の参照符を付す。注目すべきは、この実施の形態では、継ぎ足し部材７１，７２が設けられる。操作部材１１ｂに設けられた係合部５４と同様に、継ぎ足し部材７１，７２には係合部５４ｃ，５５ｃ；５４ｄ，５５ｄがそれぞれ形成され、またこれらの継ぎ足し部材７１，７２には、案内溝５８ｃ，５９ｃ；５８ｄ，５９ｄがそれぞれ形成される。さらに前述の実施の形態と同様な第１連結部３１ｃ，３１ｄが設けられ、また第２連結部３３ｃ，３３ｄが設けられてもよい。第２連結部３３ｃ，３３ｄは、継ぎ足し部材７１，７２の筒部内に設けられた連結部７５，７６にそれぞれ下方に垂下して設けられる。そのほかの構成と動作は、前述の実施の形態と同様である。
【００６７】
図１２は本発明の実施の一形態の簡略化した断面図であり、この実施の形態は前述の図１〜図１１の実施の形態に類似し、対応する部分には同一の参照符および同一の数字に添え字ｅを付して示す。注目すべきはこの実施の形態ではベース部材８ｅに案内孔８１が形成され、この案内孔８１には、操作部材１１ｅの下面に固定された案内棒８２が図１２の上下に変位可能に嵌合される。操作部材１１ｂに固定されたコイルばねである弾発片８３の上端部は、操作部材１１ｅに固定される。案内棒８２が案内孔８１に嵌込まれた状態で弾発片８３の下端部は、ベース部材８の頂部に当接し、この弾発片８３は操作部材１１ｅを図１２の上方、すなわちベース部材８ｅから離反する方向に、ばね力を発生する。
【００６８】
図１３は、図１２に示される構成の一部を説明するための断面図である。ベース部材８ｅの案内孔８１の内周面は、図１３において斜面を施して示す。案内棒８２には、係合凸部８５が半径方向外方に突出して形成される。案内棒８２は、軸線８６を有する直円柱状である。案内孔８１は、軸線８６と同一軸線を有する直円筒状の内周面を有する。案内孔８１の内周面には、図１３に示される案内溝８８が形成される。この案内溝８８には、係合凸部８５が係合する。操作部材１１ｅが、ばね８３のばね力に抗して図１２および図１３の下方に押し込まれることによって、案内溝８８の軸線８６に平行に伸びる縦案内溝部８９から斜案内溝部９１に導かれ、参照符８５ｇに示される位置に到達する。係合凸部８５は、斜案内溝部９１の下面９７に、押圧によって案内されて休止部９９に到達し、参照符８５ｇで示される状態に係合凸部８５が至る。そこで操作者による操作部材１１ｅの押圧が行われなくなることによって、ばね８３のばね力によって操作部材１１ｅが図１３の上方に変位し、これによって係合凸部８５ｇは、案内上面９２に斜めに案内されて、図１３の実線で示されるように、休止部９３に到達し、安定状態に保たれる。こうして第２連結部を構成する係合凸部８５は、第１連結部を構成する案内溝８８の休止部９３に至り、連結状態となった係合凸部８５と休止部９３との係合状態が保たれる。
【００６９】
この係合状態で、操作部材１１ｅを再び押圧すると、案内溝８８の斜案内溝部９４の下面９５を経て参照符８５ｈで示されるように、係合凸部８５が変位する。次にこの押圧が行われなくなることによって、係合凸部８５ｈは、縦の案内溝部９６を経て上方にばね８３のばね力によって変位し、こうして係合凸部８５と案内溝８８との連結が解除される。
【００７０】
図１４は、本発明の実施のさらに他の形態の一部の断面図である。この実施の形態では、図１２および図１３の実施の形態に類似し、対応する部分には同一の参照符を付す。注目すべきはこの実施の形態では、継ぎ足し部材１０１が設けられる。この継ぎ足し部材１０１は、ベース部材８ｅの構成に類似し、案内孔１０２とその下部に設けられる案内棒１０３を囲むコイルばねである弾発片１０４とを含む。案内溝１０２の内面は、前述の図１３に関連して示される案内溝８８が形成される。案内棒１０３には、前述の係合凸部８５と同様な係合凸部１０５が当接され、ベース部材８ｅの案内孔８１に形成された案内溝８８に係合する。そのほかの構成は、前述の実施の形態と同様である。継ぎ足し部材１０１は、さらに前述の実施の形態と同様に、複数個上下に連結されてもよい。
【００７１】
取付け板７は、第１表紙部２の下方に配置され、ベース部材８，９が第１表紙部２に形成された取付け孔を挿通して第１表紙部２の図１における上方に突出するように構成されてもよい。
【００７２】
図１５は、本発明の実施の他の形態のカルテの収納装置１ｆの一部の断面図である。この実施の形態は、前述の実施の形態と同様であり、対応する部分には同一の参照符を付し、また同一の数字に添え字ｆを付して示す。注目すべきはこの実施の形態では、基板２ｆは単一枚の長方形シート状であり、カルテとほぼ同一平面形状である。この基板２ｆの一側部付近に、本発明に従う綴じ装置４ｆが設けられる。そのほかの構成は、前述の実施の形態と同様である。
【００７３】
本発明の綴じ装置４，４ａ〜４ｆは、銅、鉄などの金属製であってもよいが、電気絶縁性合成樹脂製であってもよく、さらにそのほかの材料から成ってもよい。金属が選ばれる場合、銅などの非磁性材料が好ましい。
【００７４】
図１６は、本発明の実施の他の形態のカルテの収納装置２０１の一部を示す断面図である。図１６に示される実施の形態は、前述の図１〜図１５に示される実施の形態に類似し、対応する部分には同一の参照符を付し、またその参照符の数字に２００を加えた参照符を用いることがある。基板である第１表紙部２は、カルテとほぼ同一の形状を有する長方形シート状である。綴じ装置２０４は、第１表紙部２の長辺の一側部付近に設けられる。この綴じ装置２０４の取付け板２０７は、第１表紙部２の前記一側部付近に固定される。ベース部材２０８は、取付け板２０７に、前記長辺に沿って間隔をあけて複数（たとえばこの実施の形態では前述の実施の形態と同様に２）立設され、基端部が取付け板２０７上に固定される。ベース部材２０８の遊端部には、第１連結部２３１が形成される。
【００７５】
操作部材２１１には、第２連結部２３３が設けられる。操作部材２１１は、外側方（図１６の右方）に突出する第１突片２１３を有する。第１突片２１３と、取付け板２０７に形成された第２突片２１５とには、コイルばねであるばね部材１８の各端部がそれぞれ連結される。ばね部材１８に代えて、伸縮性のある紐などであってもよく、または伸縮性を有しない紐であってもよく、鎖などであってもよく、可撓性を有する長手連結部材である。
【００７６】
ベース部材２０８と操作部材２１１との間には、１または複数（たとえばこの実施の形態では２）の第１継ぎ足し部材２２３と第２継ぎ足し部材２２４とが設けられる。第１継ぎ足し部材２２３は、合成樹脂製であり、ベース部材２０８と同一の構成を有し、全体の形状がほぼ円筒状である。ベース部材２０８の第１連結部２３１には、第２継ぎ足し部材２２４の第５連結部２２４ａが取外し可能に連結され、この第２継ぎ足し部材２２４の軸線方向の他端部に形成される第６連結部２２４ｂは、第１継ぎ足し部材２２３の軸線方向の一端部の第３連結部２２３ａに取外し可能に連結される。第１継ぎ足し部材２２３の軸線方向の他端部に形成された第４連結部２２３ｂは、操作部材２１１の第２連結部２３３に取外し可能に連結される。
【００７７】
図１６に示される実施の形態では、上下に隣接する第１継ぎ足し部材２２３の第４連結部２２３ｂとその上方に隣接するもう１つの第１継ぎ足し部材２２３の第３連結部２２３ａとには、第２継ぎ足し部材２２４の第５および第６連結部２２４ａ，２２４ｂがそれぞれ取外し可能に連結される。第１連結部２３１、第３連結部２２３ａおよび第４連結部２２３ｂは、同一形状を有し、また第２連結部２３３、第５連結部２２４ａ、第６連結部２２４ｂは、同一形状を有し、こうして相互の互換性が達成される。
【００７８】
取付け板２０７、操作部材２１１および第２継ぎ足し部材２２４は、金属製であり、たとえば真鍮などの材料から成ってもよく、非磁性材料から成ることが好ましいが、鉄などの強磁性材料から成ってもよいが、合成樹脂材料から成ってもよい。ベース部材２０８および第１継ぎ足し部材２２３は、合成樹脂材料から成ってもよい。合成樹脂材料は、たとえばポリエチレン樹脂、ＡＢＳ樹脂などから成ってもよい。操作部材２１１の第２連結部２３３は、合成樹脂製であってもよいが、ゴムなどの弾性材料から成ってもよい。
【００７９】
図１７は、第１継ぎ足し部材２２３を切欠いて示すとともに、操作部材２１１および第２継ぎ足し部材２２４を示す斜視図である。第１継ぎ足し部材２２３の第３連結部２２３ａは、第１継ぎ足し部材２２３の軸線２２３ｃの軸線方向内方に窪んだ凹所２２３ｄを有し、この凹所２２３ｄは、軸線方向内方につれて大径となる第１中空円錐台面と、この第１中空円錐台面２２３ｄ１から軸線方向内方に連なる中空直円筒面２２３ｄ２と、中空直円筒面２２３ｄ２から軸線方向内方になるにつれて小径となる第２中空円錐台面２２３ｄ３とから成る。第１継ぎ足し部材２２３は、この凹所２２３ｄよりも軸線方向外方（図１７の下方）において、第１中空円錐台面２２３ｄ１に連なる中空直円筒部２２３ｄ４が形成される。さらに第１継ぎ足し部材２２３には、凹所２２３ｄの第２中空円錐台面２２３ｄ３に連なる中空直円筒面２２３ｄ５が形成される。これらの凹所２２３ｄと直円筒面２２３ｄ４，２２３ｄ５は、軸線２２３ｃを有する中空回転体の形状を有する。第４連結部２２３ｂと、第３連結部２２３ａとは、軸線２２３ｃに垂直な仮想平面２２３ｅに関して対称に構成される。
【００８０】
第２継ぎ足し部材２２４の第６連結部２２４ｂは、前述の第３連結部２２３ａに取外し可能に連結される。この第６連結部２２４ｂは、凹所２２３ｄに対応する第１円錐台部２２４ｄ１、短い直円筒面２２４ｄ２および第３円錐台面２２４ｄ３とがこの順序で形成されて凸部２２４ｄが構成される。さらにこの突部２２４ｄには、前述の第１直円筒部２２３ｄ４に対応する軸部である直円柱部２２４ｄ４が連なる。これらの突部２２４ｄおよび直円柱部２２４ｄ４は、軸線２２４ｃの回転体である。第５連結部２２４ａは、軸線２２４ｃに垂直な仮想面２２４ｅに関して上下対称に構成される。操作部材２１１の第２連結部２３３は、第５連結部２２４ａと同様に構成される。
【００８１】
図１８は本発明の実施の一形態の貯蔵ケース３０１の右下方から見た斜視図であり、図１９は貯蔵ケース３０１の左上方から見た斜視図である。貯蔵ケース３０１には、前述の実施の形態における継ぎ足し部材２３，２２３，２２４を個別的に収納するために用いられる。継ぎ足し部材２３，２２３は、それらの軸線方向に異なる長さを有するように複数種類の継ぎ足し部材２３，２２３が構成されてもよく、それらの各種類毎に、貯蔵ケース３０１に収納され、これによって微細な継ぎ足し部材２３，２２３，２２４の取扱い、整理整頓が、確実になり、本発明の実施が容易になる。
【００８２】
図２０は収納ケース３０１の正面図であり、図２１は収納ケース３０１の右側面図であり、図２２は収納ケース３０１の左側面図であり、図２３は貯蔵ケース３０１の平面図であり、図２４は貯蔵ケース３０１の底面図である。貯蔵ケース３０１は基本的に、ケース本体３０２と、第１〜第３蓋３０３〜３０５とを含む。
【００８３】
ケース本体３０２の背板３０７は、上下に細長い長方形である。背板３０７の長辺に沿う両側部からは、一対の長方形の側板３０８，３０９が立上る。側板３０８，３０９の上下に延びる長辺の一端部には、頂板３１１が連なる。側板３０８，３０９の長辺の下部である他端部には、底板３１２が連なる。側板３０８，３０９と頂板３１１と底板３１２との背板３０７とは反対側の開放端は、取外し可能なカバー３１３によって塞がれる。これらのケース本体３０２を構成する背板３０７と側板３０８，３０９と頂板３１１と底板３１２とは、剛性の合成樹脂性板材から成り、カバー３１３は可撓性を有する合成樹脂から成ってもよい。
【００８４】
複数（たとえばこの実施の形態では３）枚の仕切り板３１５〜３１７が、両側板３０８，３０９間に、背板３０７の長辺方向（上下方向）に間隔をあけて固定されており、これによって複数（たとえば４）の貯蔵空間３２１〜３２４が形成される。
【００８５】
頂板３１１には、その頂板３１１によって規定される１つの貯蔵空間３２１に連通する第１開口３２６が形成され、第１蓋３０３の図２３における左右方向、すなわち背板３０７の幅方向の移動によって、第１開口３２６を図２３（１）のように閉じ、あるいはまた図２３（２）にように開くことができる。ストッパ３２７は、図２３にように第１蓋３０３が第１開口３２６を開いた状態で、それ以上の変位を阻止する。
【００８６】
一対の側板３０８，３０９のうち一方の側板３０８には、貯蔵空間３２２に連通する第２開口３２８が形成される。この第２開口３２８は、背板３０７の長手方向、すなわち図２１の上下方向に往復変位可能な第２蓋３２９によって開閉することができる。図２１（１）のように第２蓋３２９によって第２開口３２８が閉じられており、このときストッパ３３１によって第２蓋３２９のさらに下方への移動が阻止される。第２蓋３２９が図２１（２）のように上方に変位されることによって第２開口３２８が開かれる。このとき蓋３２９は、もう１つのストッパ３３０によってそれ以上への上方への変位が阻止される。
【００８７】
他方の側板３０９には、貯蔵空間３２３，３２４に連通する第３開口３３４，３３５がそれぞれ形成される。貯蔵空間３２１〜３２４は上から下に仕切り板３１５〜３１７によって仕切られて隣接して形成される。第３蓋３３６は、取出し孔３３７を有し、この取出し孔３３７が図２２（１）の上下の第３開口３３４，３３５間に存在する状態では、第３開口３３４，３３５のいずれもが閉じられた状態となっている。
【００８８】
蓋３３６が上方に図２２（２）に示されるように蓋３３６がストッパ３４１に当接して上方に変位された状態では、空間３２３の第３開口３３４は取出し孔３３７に重なって一致しており、第３開口３３４が開かれた状態となっている。このとき貯蔵空間３２４の第３開口３３５は、蓋３３６によって取出したままである。
【００８９】
蓋３３６が図２２（３）に示されるように下方に変位されて移動されたとき、ストッパ３４２に蓋３３６が当接している。このとき貯蔵空間３２４の第３開口３３５は、蓋３３６の取出し孔３３７に重なり合って第３開口３３５が開いた状態となっている。もう１つの第３開口３３４は蓋３３６に重なって閉じられている。こうして蓋３３６を図２２（１）に示されるように第３開口３３４，３３５間に取出し孔３３７が存在するように位置決めした状態では、２つの第３開口３３４，３３５は閉じられており、上方または下方に図２２（２）および図２２（３）のように変位して移動することによって、第３開口３３４または３３５は蓋３３６の取出し孔３３７に重なって選択的に開かれる。この図２６を参照して、頂板３１１の遊端部には、図２６の上方に仕上がった係止片３４４が形成され、この係止片３４４に、カバー３１３の周方向に形成された係止片３４５が弾発的に係止する。背板３０７の頂部には、頂板３１１よりも図２６の上方で係止孔３８１が形成される。この係止孔３８１を、たとえば壁などに突設された係止ピンを挿入して、本件貯蔵ケース３０１を吊下げることができる。さらにカバー３１３の係止片３４５よりも背板３０７寄りに突出した案内部３４６は、背板３０７上に形成された案内部３４６とともに、第１蓋３０３の両側部を案内する。両側板３０８，３０９および底板３１２にもまた、係止片３４４と同様な係止片が周方向に環状に形成され、カバー３１３の係止片３４５と同様な係止片に弾発的に係止してカバー３１３がケース本体３０２に取外し可能に装着される。
【００９０】
図２５は、図２１（１）の切断面線Ａ−Ａから見た一部の簡略化した断面図である。図２６は、図２４の切断面線Ｂ−Ｂから見た一部の簡略化した断面図である。側板３０８の第２開口３２８には、背板３０７の案内片３４６ａとカバー３１３の案内片３４５とによって案内される第２蓋３２９が図２５の紙面に垂直方向に移動可能である。カバー３１３は、側板３０８の遊端部に形成された係止片３４４ａに、カバー３１３の係止片３４５ａが弾発的に係止してカバー３１３がケース本体３０２に弾発的に装着される。
【００９１】
図２７は、本発明の実施の一形態の作業工具３６１の斜視図であり、図２８は作業工具３６１の平面図である。一対の駆動部材３６２，３６３は、その長手方向の各端部に、操作端部３６４，３６５と、作業端部３６６，３６７とをそれぞれ有し、支軸３６８によって駆動部材３６２，３６３の長手方向の中間の部分が、相互に角変位可能に支持される。作業片３７１，３７２は、作業端部３６６，３６７から相互の近接方向に突出して延び、相互に当接しないように支軸３６８の軸線方向にずれて配置される。コイル状のねじりばね３７４は、駆動部材３６２，３６３の相互に対向する操作端部３６４，３６５が離反する方向に、したがって、対向する作業端部３６６，３６７が相互に近接する方向に、ばね力を与える。
【００９２】
図２９は、図２７および図２８に示される作業工具３６１を用いて、第１継ぎ足し部材３２３を、第２継ぎ足し部材３２４を用いて、ベース部材２０８に継ぎ足す作業状態を示す簡略化した断面図である。作業工具３６１を用いて図１８〜図２６に示される貯蔵ケース３０１の第１〜第３開口３２６，３２８，３３４，３３５から挟持しつつ取出し、３２９に示される状態で、第２継ぎ足し部材３２３の軸線方向の上端部を、作業工具３６１を下方に押付けることによって、作業片３７１，３７２によって押下る。こうしてベース部材２０８と第１継ぎ足し部材３２３とに、第２継ぎ足し部材２２４を弾発的に嵌め込んで連結することができる。
【００９３】
図３０は、図２７および図２８に示される作業工具３６１を用いてベース部材２０８に第２継ぎ足し部材２４４を連結する状態を示す。貯蔵ケース３０１から前述のように第２継ぎ足し部材２４４を挟持して取出し、作業工具３６１の作業片３７１，３７２によって第２継ぎ足し部材２４４をベース部材２０８に嵌合して連結する。作業工具３６１は、図２９および図３０に示される作業のほかに、そのほかの第１および第２継ぎ足し部材の連結のために、用いられ、作業性の向上を図ることができる。
【００９４】
図３１は、本発明の実施の他の形態のカルテ収納装置４０１の一部を示す断面図である。図３１に示される実施の形態は、前述の図１〜図１５に示される実施の形態に類似し、さらに図１６および図１７に示される実施の形態に一部類似し、対応する部分には同一または類似の参照符を付すことがある。基板である第１表紙部２は、カルテとほぼ同一の形状を有する長方形シート状である。綴じ装置４０４は、第１表紙部２の長辺の一側部付近に設けられる。この綴じ装置４０４の取付け板４０７は、第１表紙部２の前記一側部付近に固定される。ベース部材４０８は、取付け板４０７に、前記長辺に沿って間隔をあけて複数（たとえばこの実施の形態では前述の実施の形態と同様に２）立設され、基端部が取付け板４０７上に固定される。ベース部材４０８への遊端部には、第１連結部４３１が形成される。
【００９５】
操作部材４１１には、第２連結部４３３が設けられる。操作部材４１１は、外側方（図３１の右方）に突出する第１突片４１３を有する。第１突片４１３と、取付け板４０７に形成された第２突片４１５とには、コイルばねであるばね部材１８の各端部がそれぞれ連結される。ばね部材１８に代えて、伸縮性のある紐などであってもよく、または伸縮性を有しない紐であってもよく、鎖などであってもよく、可撓性を有する長手連結部材である。
【００９６】
ベース部材４０８と操作部材４１１との間には、１または複数（たとえばこの実施の形態では２）の継ぎ足し部材４２３が設けられる。
【００９７】
図３２は、図３１に示される綴じ装置４０４の一部の分解斜視図である。継ぎ足し部材４２３の軸線方向の一端部の第３連結部４２３ａは、第１連結部４３１と同一の構成を有し、軸線方向の他端部に形成される第４連結部４２３ｂは、継ぎ足し部材４２３の外径未満の外径を有する同軸のおねじ部から成る。
【００９８】
継ぎ足し部材４２３の第３連結部４２３ａは、継ぎ足し部材４２３と同軸の軸線方向に延びるめねじ部４２３ａ１と、そのめねじ部４２３ａ１の軸線方向の途中に形成される係止凹部４２３ａ２とを有する。
【００９９】
図３３は、図３２に示される継ぎ足し部材４２３の切断面線ＩＩＩ−ＩＩＩから見た断面図である。係止凹部４２３ａ２は、めねじ部４２３ａ１の周方向に間隔をあけて複数個形成され、たとえばこの実施の形態では継ぎ足し部材４２３の軸線に関して１８０度ずれた位置に配置される。この係止凹部４２３ａ２は、めねじ部４２３ａ１の内径Ｄ３１未満の径を有する球の一部分であってもよく、たとえば半球状であってもよい。この実施の形態における係止凹所４２３ａ２の相互の間隔は、参照符Ｄ３２で示される。めねじ部４２３ａ１は、この係止凹部４２３ａ２に関して継ぎ足し部材４２３の軸線方向の上下にわたって形成されるとともに、これらの一対の係止凹部４２３ａ２の相互間の周方向にわたって形成される。
【０１００】
操作部材４１１の第２連結部４３３は、弾発性を有する材料、たとえば合成樹脂またはゴムなどから成る。第２連結部４３３は、継ぎ足し部材４２３の第３連結部４２３ａに弾発的に取外し可能に係止して装着され、またこの第３連結部４２３ａと同一の構成を有する第１連結部４３１に同様に弾発的に取外し可能に係止されて装着されることができる。第４連結部４２３ｂを構成するおねじ部は、第１連結部４３１のめねじ部に取外し可能に螺合して連結される。
【０１０１】
操作部材４１１の第２連結部４３３は、第１突片４１３に連なる直円柱状の筒部４３３ａ１と、この軸部４３３ａ１から遊端部（図３２の下方）になるにつれて大径になる第１円錐台部４３３ａ２と、短い直円柱部４３３ａ３と、遊端部になるにつれて小径となる第２円錐台部４３３ａ４とがこの順序で連なって構成される。第２連結部４３３の軸部４３３ａ１は、自然状態で、継ぎ足し部材４２３のめねじ部４２３ａ１の内径を超える外径を有し、第１および第２円錐台部４３３ａ２，４３３ａ４の最大外径Ｄ３３は、図３３に示される一対の係止凹所４２３ａ２の相互の間隔Ｄ３２を超える値に選ばれる。こうしてカルテ６の追加の度に、第２連結部４３３を継ぎ足し部材４２３の第３連結部４２３ａに弾発的に取外し可能に嵌め込むことができ、またこの継ぎ足し部材４２３を使用しないとき、ベース部材４０８の第１連結部４３１に同様に弾発的に嵌め込むことができる。軸部４３３ａ１は、係止凹部４２３ａ２よりも外方端側（図３２の上方）のめねじ部４２３ａ１に弾発的に嵌り込む。第１および第２円錐台部４３３ａ２，４３３ａ４および短い直円柱部４３３ａ３は、係止凹部４２３ａ２と、継ぎ足し部材４２３の軸線方向で係止凹部４２３ａ２と同一位置にあるめねじ部４２３ａ１とに弾発的に係止する。継ぎ足し部材４２３は、その第４連結部４２３ｂを構成するおねじ部が、第３連結部４２３ａを構成するめねじ部４２３ａ１に取外し可能に螺合することができる。
【０１０２】
第２連結部４３３の短い直円柱部４３３ａ３は省略され、第１および第２円柱台部４３３ａ２，４３３ａ４が直接に連結されてもよい。係止凹部４２３ａ２は、球面の一部を構成するだけでなく、そのほかの形状を有してもよい。突片４１３は、第２連結部４３３よりもばね定数が小さい剛性の合成樹脂材料から成ってもよい。さらに取付け板４０７、ベース部材４０８，４０９および継ぎ足し部材４２３、さらには突片４１３などはいずれも全て合成樹脂材料から成ってもよい。取付け板４０７とベース部材４０８，４０９、さらには突片４１５は、一体的に成形されて製造されてもよい。本発明の実施のさらに他の形態では、表紙部２，３などが単一枚の合成樹脂製シートから成り、この表紙部２に、前述の実施の形態と同様にベース部材４０８，４０９が一体的に成形されて構成されてもよい。
【０１０３】
図３４は、本発明の実施のさらに他の形態の一部の分解斜視図である。この実施の形態もまた、前述の実施の形態に類似し、対応する部分には同一または類似の参照符を付す。取付け板５０７にはベース部材５０８が立設され、第１連結部５３１が形成される。ベース部材５０８の第１連結部５３１には、操作部材５１１の第２連結部５３３が弾発的に取外し自在に連結され、さらにベース部材５０８の第１連結部５３１と操作部材５１１の第２連結部５３３との間には継ぎ足し部材５２３が単一個または複数個、取外し自在に連結されることができる。継ぎ足し部材５２３の第３連結部５２３ａは、めねじ部５２３ａ１と、そのめねじ部５２３ａ１の軸線方向の途中で周方向に間隔をあけて複数個、たとえばこの実施の形態では２の係止凹部５２３ａ２とが形成されて構成される。係止凹部５２３ａ２は、前述の係止凹所４２３ａ２と同様な有底の凹部であってもよいが、たとえばこの実施の形態では、継ぎ足し部材４２３の軸線を通る透孔によって実現されてもよい。第４連結部４２３ｂはおねじ部であって、第３連結部５２３ａのめねじ部４２３ａ１に取外し自在に螺合する。第１連結部５３１は、第３連結部５２３ａと同様な構成を有する。
【０１０４】
図３５は操作部材５１１の側面図であり、図３６は操作部材５１１の底面図である。第１連結部５３３は、めねじ部５２３ａ１に弾発的に取外し自在に嵌込まれる直円柱部５３３ａ１と、この直円柱部５３３ａ１から軸線方向外方（図３４および図３５の下方）に延びる弾発力を有し全体の形状がほぼＹ字状である係止片５３３ａ２とを含む。第１連結部５３３は、弾発性を有する合成樹脂またはゴムなどの材料から成ってもよい。第２連結部５３３には、第１突片５１３が固定され、前述の実施の形態と同様に、ばね部材１８の端部が連結される。係止部５３３ａ２は、直円柱部５３３ａ１の軸線方向外方に延びる軸部５３３ａ３と、この軸部５３３ａ３から相互の離反方向に突出する脚部５３３ａ４と、これらの脚部５３３ａ４の遊端部に形成される膨大部５３３ａ５とを有する。膨大部５３３ａ５は、弾発的に係止凹部５２３ａ２に図３４の仮想線で示されるように弾発的に取外し可能に嵌り込む。直円柱部５３３ａ１は、めねじ部５２３ａ１に弾発的に嵌り込んで取外し可能に係止する。そのほかの実施の形態は、前述の実施の形態と同様である。
【０１０５】
図３７は、本発明の実施の他の形態のカルテの収納装置を上下に積み重ねた状態を示す簡略化した側面図である。収納装置は、たとえば棚に縦に設けられ、その底面図が図３７のように並べられてもよい。綴じ装置６０１は、前述の図１〜図３６に関連して前述した綴じ装置である。カルテの収納体６０４は、シート本体６０５と保持部６０６とを含む。第１および第２表紙部２，３は、合成樹脂製であり、内折れ部６０７で収納体６０４を内方にして折り畳むことができる。第１および第２表紙部２，３およびシート本体６０５は、カルテ６の平面形状とほぼ同一の大きさを有し、たとえば日本工業規格ＪＩＳ  Ａ４版の長方形であり、カルテ６は縦長にして第１表紙部２の上方に重ねられ、内折れ部６０７付近で綴じ装置６０１を用いて上下に重ねられて綴られ、ノート状に開いて過去の記録内容を見ることができる。収納体６０４は、その全体が合成樹脂材料から成り、静電気を発生してカルテ６を静電吸着することが好ましく、たとえばポリメタクリル酸エステル系またはポリアクリル酸エステル系合成樹脂製であってもよく、常温で保持部６０６の好ましい弾発力を得ることが容易である。シート本体６０５は、カルテ６，６ａとほぼ同一平面形状を有する長方形に形成され、シート本体６０５上に空白欄を有するカルテ６，６ａが載置され、そのカルテ６ａの長辺の一側部６１１は、シート本体６０５上に取外し自在に保持部６０６によって弾発的に保持される。この保持部６０６は、シート本体６０５の長辺の一側部６１２に、そのシート本体６０５の長辺の全長Ｌ６１にわたって連なる。シート本体６０５の長辺の他側部６１３は、第１表紙部２の長辺の一側部６１４付近で、連なって接続される。シート本体６０５の前記他側部６１３が接続される第１表紙部２の一側部６１４付近というのは、内折れ部６０７の近傍であり、第２表紙部３の内折れ部６０７付近の領域を含む。
【０１０６】
第１表紙部２の短辺は長さＬ５１のほかにさらに使用済みの空白欄がほとんどなくなったカルテ６を重ねた厚み分の長さＬ５２を有してもよく、第２表紙部３の短辺は長さＬ５３を有する。Ｌ５１＝Ｌ５３であってもよく、Ａ４版の短辺とほぼ等しい値に選ばれる。Ｌ５２＝零であってもよい。第１および第２表紙部２，３の長辺の長さは、前述のシート本体６０５の長辺の長さＬ６１と同様であってもよく、Ａ４版の長片の長さとほぼ等しい。シート本体６０５の短辺の長さＬ６２は、Ａ４版の短辺の長さとほぼ等しくてもよい。たとえばＬ５１＝Ｌ５３＝Ｌ６２＝２１ｃｍ、Ｌ６１＝２９．７ｃｍであってよい。
【０１０７】
保管のために必要な図３７の上下のスペースは、積み重ねられたカルテ６の厚み方向のスペースにほぼ等しい分でよく、保持部６０６は、積み重ねられたカルテ６，６ａから図３７の右方に突出して短辺方向（図３７の左右方向）にずれている。これによってカルテ６，６ａの厚み方向の収納スペースを大きく占めることが防がれる。
【０１０８】
図３８は、本発明の実施の一形態のカルテの収納体６０４を備えるカルテの収納装置の一部を拡大して示す底面図である。保持部６０６は、シート本体６０５の一側部６１２に連なる基部６２１と、基部６２１の外側部６２２に連なって立上る立上り部６２３と、立上り部６２３の基部６２１から遠去かった端部６２４に連なり、内方側（図３８（１）の左方）に延びるカバー部６２５と、カバー部６２５の内方端部６２６に連なり、基部６２１とカバー部６２５との間の空間６２７内に、基部６２１の外側（図３８（１）の右方）になるにつれて、基部６２１に近付くように延び、カルテ６ａの一側部６１１を、基部６２１の表面との間で弾発的に押し付ける押圧部６２８とを有する。図３８（１）は、保持部６０６にカルテ６ａが挟持されていない状態を示し、図３８（２）は、保持部６０６によってカルテ６ａの一側部６１１が弾発的に挟持された状態を示す。
【０１０９】
カバー部６２５は、その全体の形状が、内方側（図３８（１）の左方）になるにつれて基部６２１に近付くように傾斜する。カバー部６２５の内方側（図３８（１）の左方）の端部６２６付近には、断面Ｖ字状の第１折れ部６３１が形成される。カバー部６２５の第１折れ部６３１よりも内方側（図３８（１）の左方）の端縁６３２と、押圧部６２８の内方側（図３８（１）の左方）の端縁６３３とは、前記端部６２６を形成する外折れ部で連なる。押圧部６２８には、カルテ６ａの一側部６１１のカバー部６２５に臨む表面、すなわち図３８（２）の上面に当接する断面Ｖ字状の第２折れ部６３４が形成される。第１および第２折れ部６３１，６３４は、図３８（１）および図３８（２）の上下にほぼ同一位置に配置される。
【０１１０】
カバー部６２５の内面（すなわち図３８（１）および図３８（２）の下面）と、押圧部６２８のカバー部６２５に臨む表面（すなわち図３８（１）および図３８（２）の上面）との間に、隙間６３５が形成される。この隙間６３５によって、カバー部６２５および押圧部６２８の弾発力をできるだけ大きく発揮するようにして、カルテ６ａの一側部６１１を大きな弾発力で確実に保持することが可能になる。
【０１１１】
カバー部６２５は、立上り部６２３の端部６２４と第１折れ部６３１との間に連なる外カバー部６３６と、第１折れ部６３１から端部６２６に連なる内カバー部６３７とから成る。押圧部６２８は、端部６２６から第２折れ部６３４に延びてその端部６２６から基部６２１に近付くように傾斜した内押圧部６３８と、第２折れ部６３４から空間６２７に向けて外側方（図３８（１）の右方）になるにつれて基部６２１から遠去かる方向に延びる外押圧部６３９とを有する。図３８（１）に示されるように内押圧部６３８は、基部６２１とは角度θ１を成して傾斜しているので、図３８（２）の矢符６４１で示されるようにカルテ６ａの一側部６１１を移動して、押圧部６２８と基部６２１との間で弾発的に挿入して挟持することが容易となる。
【０１１２】
カルテの収納体６０４の厚みｔは、その全体が０．１〜０．６ｍｍであり、基部６２１の短辺に沿う長さＬ１は、１０．０〜１５．０ｍｍであり、立上り部６２３の高さＨ１は、１．５〜２．５ｍｍであり、立上り部６２３の基部６２１から遠去かった端部６２４からカバー部６２５の第１折れ部６３１までの基部６２１に沿う長さＬ２１は、８．０〜１２．０ｍｍである。第１折れ部６３１からカバー部６２５の内方側の端部６２６までの基部６２１に沿う長さＬ２２は、１．５〜２．０ｍｍである。外カバー部６３６および内カバー部６３７の各端部６２４，６２６間の前記基部６２１に沿う長さＬ２は、９．５〜１４．０ｍｍである。第１折れ部６３１の基部６２１からの高さＨ２は、カルテ６ａが挿入されていない図３８（１）の状態で、０．７〜１．５ｍｍである。押圧部の前記内方側の端部６２６から第２折れ部６３４までの基部６２１に沿う長さＬ３１は、１．０〜２．０ｍｍである。第２折れ部６３４から押圧部６２８の外方端部６４２までの基部６２１に沿う長さＬ３２は、１．０〜２．０ｍｍである。
【０１１３】
図３９は、カルテの収納体６０４の製造方法における各工程を示す簡略化した斜視図である。図３９（１）に示されるように合成樹脂製の偏平な矩形のシート６４３を準備し、第１および第２折れ部６３１，６３４を形成する。次に図３９（２）に示されるように、端部６２６で外折れ部を形成する。図３９（３）では、端部６２４で外折れ部を形成する。図３９（４）では、基部６２１の外側部６２２で外折れ部を形成する。こうして図３９（５）に示されるカルテの収納体６０４が完成する。
【０１１４】
【発明の効果】
本発明によれば、患者毎のカルテの枚数が増加しても、ぶ厚くならないようにすることができ、保管スペースを低減し、さらにプリンタによる印字記録を容易にするとともに、医師などによる手を使った筆記を容易にすることができる。また患者毎のカルテが１枚または２〜３枚程度であってその枚数が少ないとき、本発明のカルテの収納装置はその構成が簡単であるので、少ない枚数のカルテに比べて本発明の収納装置の構成が過大になるおそれはないという優れた効果が達成され、これによって通院回数が少ない多数の患者に対応して本発明のカルテの収納装置が実現される。
【０１１５】
また本発明によれば、継ぎ足し部材を用いることによって、多数枚のカルテを収納することができる。また複数の継ぎ足し部材相互間を離脱して、多数枚の重ね合されたカルテのうち、希望するカルテを迅速に取出すこともまた、可能であり、作業性が良好である。
【０１１６】
また本発明の合成樹脂製第１継ぎ足し部材と金属製第２継ぎ足し部材とを用い、構成が簡略化されたカルテの収納装置が実現される。
【０１１７】
また本発明の継ぎ足し部材は、微細な形状を有し、したがって本発明の貯蔵ケースを用い、これらの構成要素を分類整理して貯蔵し、本発明のカルテの収納装置の使い勝手が、カルテの収納枚数の大小にかかわらず、向上される。また本発明の作業工具を用い、微細な継ぎ足し部材の取扱いが容易になる。
【図面の簡単な説明】
【図１】本発明の実施の一形態のカルテの収納装置１の一部の斜視図である。
【図２】カルテの収納装置１の全体の構成を示す斜視図である。
【図３】ベース部材８とその付近の構成を示す断面図である。
【図４】ベース部材８の平面図である。
【図５】図３の切断面線Ｖ−Ｖから見た断面図である。
【図６】図４の切断面線ＶＩ−ＶＩから見た断面図である。
【図７】本発明の実施の他の形態の一部の断面図である。
【図８】本発明の実施の他の形態の断面図である。
【図９】ベース部材８ｂの一部の周方向展開図である。
【図１０】図８および図９に示される実施の形態における操作部材１１ｂの簡略化した断面図である。
【図１１】本発明の実施の他の形態の一部の断面図である。
【図１２】本発明の実施の一形態の簡略化した断面図である。
【図１３】図１２に示される構成の一部を説明するための断面図である。
【図１４】本発明の実施のさらに他の形態の一部の断面図である。
【図１５】本発明の実施の他の形態のカルテの収納装置１ｆの一部の断面図である。
【図１６】本発明の実施の他の形態のカルテの収納装置２０１の一部を示す断面図である。
【図１７】第１継ぎ足し部材２２３を切欠いて示すとともに、操作部材２１１および第２継ぎ足し部材２２４を示す斜視図である。
【図１８】本発明の実施の一形態の貯蔵ケース３０１の右下方から見た斜視図である。
【図１９】貯蔵ケース３０１の左上方から見た斜視図である。
【図２０】収納ケース３０１の正面図である。
【図２１】収納ケース３０１の右側面図である。
【図２２】収納ケース３０１の左側面図である。
【図２３】貯蔵ケース３０１の平面図である。
【図２４】貯蔵ケース３０１の底面図である。
【図２５】図２１（１）の切断面線Ａ−Ａから見た一部の簡略化した断面図である。
【図２６】図２４の切断面線Ｂ−Ｂから見た一部の簡略化した断面図である。
【図２７】本発明の実施の一形態の作業工具３６１の斜視図である。
【図２８】作業工具３６１の平面図である。
【図２９】図２７および図２８に示される作業工具３６１を用いて、第１継ぎ足し部材３２３を、第２継ぎ足し部材３２４を用いて、ベース部材２０８に継ぎ足す作業状態を示す簡略化した断面図である。
【図３０】図２７および図２８に示される作業工具３６１を用いてベース部材２０８に第２継ぎ足し部材２４４を連結する状態を示す。
【図３１】本発明の実施の他の形態のカルテ収納装置４０１の一部を示す断面図である。
【図３２】図３１に示される綴じ装置４０４の一部の分解斜視図である。
【図３３】図３２に示される継ぎ足し部材４２３の切断面線ＩＩＩ−ＩＩＩから見た断面図である。
【図３４】本発明の実施のさらに他の形態の一部の分解斜視図である。
【図３５】操作部材５１１の側面図である。
【図３６】操作部材５１１の底面図である。
【図３７】本発明の実施の他の形態のカルテの収納装置を上下に積み重ねた状態を示す簡略化した側面図である。
【図３８】本発明の実施の一形態のカルテの収納体６０４を備えるカルテの収納装置の一部を拡大して示す底面図である。
【図３９】カルテの収納体６０４の製造方法における各工程を示す簡略化した斜視図である。
【符号の説明】
１  カルテの収納装置
２  第１表紙部
３  第２表紙部
４，４ａ〜４ｆ  綴じ装置
６  カルテ
７  取付け板
８，９，８ａ〜８ｆ  ベース部材
１１，１２  操作部材
１３，１４  第１突片
１５，１６  第２突片
１８，１９  ばね部材
２１，２２  綴じ孔
２３，２４，１０１  継ぎ足し部材
２６，２７  止めピン
３１，３２  第１連結部
３３，３４  第２連結部
３５  筒体
３９  ばね片
４１，４２  接触部
４５  頭部
４６  くびれ部
５１  第３連結部
５２  第４連結部
５４，５５  係合部
５８，５９，８８  案内溝
８１  案内孔
８２  案内棒
８３  弾発片
８５  係合凸部
２０１  カルテの収納装置
２０４  綴じ装置
２０７  取付け板
２０８  ベース部材
２１１  操作部材
２２３  第１継ぎ足し部材
２２３ａ  第３連結部
２２３ｂ  第４連結部
２２４  第２継ぎ足し部材
２２４ａ  第５連結部
２２４ｂ  第６連結部
２３１  第１連結部
２３３  第２連結部
３０１  貯蔵ケース
３０２  ケース本体
３０３  第１蓋
３０４  第２蓋
３０５  第３蓋
３０７  背板
３０８，３０９  側板
３１１  頂板
３１２  底板
３１３  カバー
３１５〜３１７  仕切り板
３２１〜３２４  貯蔵空間
３２６  第１開口
３２８  第２開口
３３４，３３５  第３開口
３３７  取出し孔
３８１  係止孔
【図１】
2004329494.tif 000003
【図２】
2004329494.tif 000004
【図３】
2004329494.tif 000005
【図４】
2004329494.tif 000006
【図５】
2004329494.tif 000007
【図６】
2004329494.tif 000008
【図７】
2004329494.tif 000009
【図８】
2004329494.tif 000010
【図９】
2004329494.tif 000011
【図１０】
2004329494.tif 000012
【図１１】
2004329494.tif 000013
【図１２】
2004329494.tif 000014
【図１３】
2004329494.tif 000015
【図１４】
2004329494.tif 000016
【図１５】
2004329494.tif 000017
【図１６】
2004329494.tif 000018
【図１７】
2004329494.tif 000019
【図１８】
2004329494.tif 000020
【図１９】
2004329494.tif 000021
【図２０】
2004329494.tif 000022
【図２１】
2004329494.tif 000023
【図２２】
2004329494.tif 000024
【図２３】
2004329494.tif 000025
【図２４】
2004329494.tif 000026
【図２５】
2004329494.tif 000027
【図２６】
2004329494.tif 000028
【図２７】
2004329494.tif 000029
【図２８】
2004329494.tif 000030
【図２９】
2004329494.tif 000031
【図３０】
2004329494.tif 000032
【図３１】
2004329494.tif 000033
【図３２】
2004329494.tif 000034
【図３３】
2004329494.tif 000035
【図３４】
2004329494.tif 000036
【図３５】
2004329494.tif 000037
【図３６】
2004329494.tif 000038
【図３７】
2004329494.tif 000039
【図３８】
2004329494.tif 000040
【図３９】
2004329494.tif 000041